(57)【要約】【課題】記録媒体に記録された画像データを携帯電話機で簡単に閲覧することができる制御プログラム及び情報記録装置並びに画像閲覧システムの提供。【解決手段】情報記録装置１に、デジタルカメラやメディアから画像データを入力するデータ入力手段１５と、入力された画像データのデータサイズを縮小した縮小画像データを作成し、必要に応じて画像データを画像再生機器で再生可能な形式のデータに変換するデータ変換手段１８と、これらのデータを記録媒体に記録するデータ記録手段１９と、記録媒体の識別情報や日時情報などの縮小画像データに関連付けされるＩＤ情報を生成するＩＤ情報生成手段１７と、縮小画像データとＩＤ情報とをサーバに送信するデータ送信手段２０とを少なくとも備え、ユーザは携帯電話機を用いてサーバにアクセスしＩＤ情報を送信することにより縮小画像データを表示できる。【選択図】図６
2005210354.tif 000002
【特許請求の範囲】
【請求項１】
コンピュータを、
入力された画像データのデータサイズを縮小した縮小画像データを作成する手段、
前記縮小画像データに関連付けされるＩＤ情報を生成する手段、
少なくとも前記縮小画像データと前記ＩＤ情報とを特定のサーバに送信する手段、として機能させることを特徴とする制御プログラム。
【請求項２】
コンピュータを、
入力された画像データのデータサイズを縮小した縮小画像データを作成すると共に、該画像データをコンピュータ機器とは異なる種類の画像再生機器で再生するための画像データに変換する手段、
前記画像データ又は前記変換された画像データの少なくとも一方を記録媒体に記録する手段、
前記縮小画像データに関連付けされるＩＤ情報を生成する手段、
少なくとも前記縮小画像データと前記ＩＤ情報とを特定のサーバに送信する手段、として機能させることを特徴とする制御プログラム。
【請求項３】
前記画像データは、デジタルカメラで撮影して得られた画像データ又は写真フィルムをスキャンして得られた画像データであることを特徴とする請求項１又は２に記載の制御プログラム。
【請求項４】
画像データを入力する手段と、
入力された画像データのデータサイズを縮小した縮小画像データを作成すると共に、該画像データをコンピュータ機器とは異なる種類の画像再生機器で再生するための画像データに変換する手段と、
前記画像データ又は前記変換された画像データの少なくとも一方を記録媒体に記録する手段と、
前記縮小画像データに関連付けされるＩＤ情報を生成する手段と、
少なくとも前記縮小画像データと前記ＩＤ情報とを特定のサーバに送信する手段と、を少なくとも備えることを特徴とする情報記録装置。
【請求項５】
前記画像データは、デジタルカメラで撮影して得られた画像データ又は写真フィルムをスキャンして得られた画像データであることを特徴とする請求項４記載の情報記録装置。
【請求項６】
情報記録装置とサーバと携帯電話機とが通信ネットワークにより接続されてなる画像閲覧システムにおいて、
前記情報記録装置には、
画像データを入力する手段と、
入力された画像データのデータサイズを縮小した縮小画像データを作成すると共に、該画像データをコンピュータ機器とは異なる種類の画像再生機器で再生するための画像データに変換する手段と、
前記画像データ又は前記変換された画像データの少なくとも一方を記録媒体に記録する手段と、
前記縮小画像データに関連付けされるＩＤ情報を生成する手段と、
少なくとも前記縮小画像データと前記ＩＤ情報とを前記サーバに送信する手段と、を少なくとも備え、
前記サーバには、
送信された前記縮小画像データを前記ＩＤ情報に関連付けて記憶する手段と、
前記サーバにアクセスする前記携帯電話機を認証する手段と、
認証した前記携帯電話機から送信される前記ＩＤ情報を参照して前記縮小画像データを特定する手段と、
前記縮小画像データを前記携帯電話機に送信する手段と、を少なくとも備えることを特徴とする画像閲覧システム。
【請求項７】
情報記録装置とサーバと携帯電話機とが通信ネットワークにより接続されてなる画像閲覧システムにおいて、
前記情報記録装置には、
画像データを入力する手段と、
入力された画像データのデータサイズを縮小した縮小画像データを作成すると共に、該画像データをコンピュータ機器とは異なる種類の画像再生機器で再生するための画像データに変換する手段と、
前記画像データ又は前記変換された画像データの少なくとも一方を記録媒体に記録する手段と、
前記縮小画像データに関連付けされるＩＤ情報を生成する手段と、
少なくとも前記縮小画像データと前記ＩＤ情報と前記携帯電話機の電子メールアドレスとを前記サーバに送信する手段と、を少なくとも備え、
前記サーバには、
送信された前記縮小画像データを前記ＩＤ情報に関連付けて記憶する手段と、
前記サーバのｗｅｂ上のアドレス情報と前記ＩＤ情報とを記述した電子メールを前記携帯電話機に送信する手段と、
前記サーバにアクセスする前記携帯電話機を認証する手段と、
認証した前記携帯電話機から送信される前記ＩＤ情報を参照して前記縮小画像データを特定する手段と、
前記縮小画像データを前記携帯電話機に送信する手段と、を少なくとも備えることを特徴とする画像閲覧システム。
【請求項８】
情報記録装置とサーバと携帯電話機とが通信ネットワークにより接続されてなる画像閲覧システムにおいて、
前記情報記録装置には、
画像データを入力する手段と、
入力された画像データのデータサイズを縮小した縮小画像データを作成すると共に、該画像データをコンピュータ機器とは異なる種類の画像再生機器で再生するための画像データに変換する手段と、
前記画像データ又は前記変換された画像データの少なくとも一方を記録媒体に記録する手段と、
前記縮小画像データに関連付けされるＩＤ情報を生成する手段と、
少なくとも前記縮小画像データと前記ＩＤ情報とを前記サーバに送信すると共に、前記サーバのｗｅｂ上のアドレス情報と前記ＩＤ情報とを記述した電子メールを前記携帯電話機に送信する手段と、を少なくとも備え、
前記サーバには、
送信された前記縮小画像データを前記ＩＤ情報に関連付けて記憶する手段と、
前記サーバにアクセスする前記携帯電話機を認証する手段と、
認証した前記携帯電話機から送信される前記ＩＤ情報を参照して前記縮小画像データを特定する手段と、
前記縮小画像データを前記携帯電話機に送信する手段と、を少なくとも備えることを特徴とする画像閲覧システム。
【請求項９】
前記情報記録装置の前記送信手段では、更に、前記携帯電話機の電話番号を前記サーバに送信し、前記サーバは、前記電話番号を参照して前記携帯電話機を認証することを特徴とする請求項６乃至８のいずれか一に記載の画像閲覧システム。
【請求項１０】
前記画像データは、デジタルカメラで撮影して得られた画像データ又は写真フィルムをスキャンして得られた画像データであることを特徴とする請求項６乃至９のいずれか一に記載の画像閲覧システム。
【発明の詳細な説明】
【技術分野】
【０００１】
本発明は、写真画像を閲覧するための制御プログラム及び情報記録装置並びに画像閲覧システムに関する。
【背景技術】
【０００２】
近年、写真に関連する様々なサービスが提供されるようになってきている。例えば、ユーザがデジタルカメラで写真を撮影し、デジタルカメラやデジタルカメラ用メディアをミニラボ等の写真店に持ち込み、店舗内に設けられた無人端末（キオスク）や店頭端末などを用いて、デジタルカメラやメディアに記録された画像データをＣＤ−Ｒ、ＤＶＤ−Ｒなどの記録媒体に書き込むことができる（例えば、特開平５−１８２３７３号公報等）。
【０００３】
また、ユーザがフィルムカメラで写真を撮影し、撮影済みのフィルムをミニラボ等の写真店に持ち込むと、写真店ではフィルムを現像した後、スキャナ等の読み取り装置を用いて画像データを読み取り、ＣＤ−Ｒ、ＤＶＤ−Ｒなどの記録媒体に書き込んでユーザに提供するサービスも行われている。
【０００４】
また、デジタルカメラやメディア、フィルムから読み取った画像データを、例えば、ＤＶＤプレーヤやＤＶＤレコーダ、ゲーム機のような画像再生機器で再生することができるようにファイル形式を変換し、元の画像データと変換した画像データとをＣＤ−Ｒ、ＤＶＤ−Ｒなどの記録媒体に書き込むサービスも行われている。
【０００５】
【特許文献１】特開平５−１８２３７３号公報（第４−６頁、第３図）
【発明の開示】
【発明が解決しようとする課題】
【０００６】
一方、近年、モニタサイズが大きく、高解像度の携帯電話機が普及しており、携帯電話機でも画像を鮮明に表示することができるようになってきている。そこで、デジタルカメラやメディアに記録された画像データに基づく画像を携帯電話機に表示させることができれば写真画像に関するサービスの使用促進を図ることができる。
【０００７】
しかしながら、上述したサービスは画像データをＣＤ−Ｒ、ＤＶＤ−Ｒなどの記録媒体に記録するのみであり、このような記録媒体は携帯電話機で利用することはできない。また、デジタルカメラやメディアから読み取った画像データを通信ネットワークで接続されるサーバなどに保管するサービスもあるが、デジタルカメラで撮影して得られた画像データはデータサイズが大きいため、画像データの受信に時間がかかると共にそのままでは携帯電話機のモニタに表示するのに適しておらず、該画像データを携帯電話機で利用することはできない。
【０００８】
本発明は、上記問題点に鑑みてなされたものであって、その主たる目的は、記録媒体に記録された画像データを携帯電話機で簡単に閲覧することができる制御プログラム及び情報記録装置並びに画像閲覧システムを提供することにある。
【課題を解決するための手段】
【０００９】
上記目的を達成するため、本発明の制御プログラムは、コンピュータを、入力された画像データのデータサイズを縮小した縮小画像データを作成する手段、前記縮小画像データに関連付けされるＩＤ情報を生成する手段、少なくとも前記縮小画像データと前記ＩＤ情報とを特定のサーバに送信する手段、として機能させるものである。
【００１０】
また、本発明の制御プログラムは、コンピュータを、入力された画像データのデータサイズを縮小した縮小画像データを作成すると共に、該画像データをコンピュータ機器とは異なる種類の画像再生機器で再生するための画像データに変換する手段、前記画像データ又は前記変換された画像データの少なくとも一方を記録媒体に記録する手段、前記縮小画像データに関連付けされるＩＤ情報を生成する手段、少なくとも前記縮小画像データと前記ＩＤ情報とを特定のサーバに送信する手段、として機能させるものである。
【００１１】
また、本発明の情報記録装置は、画像データを入力する手段と、入力された画像データのデータサイズを縮小した縮小画像データを作成すると共に、該画像データをコンピュータ機器とは異なる種類の画像再生機器で再生するための画像データに変換する手段と、前記画像データ又は前記変換された画像データの少なくとも一方を記録媒体に記録する手段と、前記縮小画像データに関連付けされるＩＤ情報を生成する手段と、少なくとも前記縮小画像データと前記ＩＤ情報とを特定のサーバに送信する手段と、を少なくとも備えるものである。
【００１２】
また、本発明の画像閲覧システムは、情報記録装置とサーバと携帯電話機とが通信ネットワークにより接続されてなる画像閲覧システムにおいて、前記情報記録装置には、画像データを入力する手段と、入力された画像データのデータサイズを縮小した縮小画像データを作成すると共に、該画像データをコンピュータ機器とは異なる種類の画像再生機器で再生するための画像データに変換する手段と、前記画像データ又は前記変換された画像データの少なくとも一方を記録媒体に記録する手段と、前記縮小画像データに関連付けされるＩＤ情報を生成する手段と、少なくとも前記縮小画像データと前記ＩＤ情報とを前記サーバに送信する手段と、を少なくとも備え、前記サーバには、送信された前記縮小画像データを前記ＩＤ情報に関連付けて記憶する手段と、前記サーバにアクセスする前記携帯電話機を認証する手段と、認証した前記携帯電話機から送信される前記ＩＤ情報を参照して前記縮小画像データを特定する手段と、前記縮小画像データを前記携帯電話機に送信する手段と、を少なくとも備えるものである。
【００１３】
また、本発明の画像閲覧システムは、情報記録装置とサーバと携帯電話機とが通信ネットワークにより接続されてなる画像閲覧システムにおいて、前記情報記録装置には、画像データを入力する手段と、入力された画像データのデータサイズを縮小した縮小画像データを作成すると共に、該画像データをコンピュータ機器とは異なる種類の画像再生機器で再生するための画像データに変換する手段と、前記画像データ又は前記変換された画像データの少なくとも一方を記録媒体に記録する手段と、前記縮小画像データに関連付けされるＩＤ情報を生成する手段と、少なくとも前記縮小画像データと前記ＩＤ情報と前記携帯電話機の電子メールアドレスとを前記サーバに送信する手段と、を少なくとも備え、前記サーバには、送信された前記縮小画像データを前記ＩＤ情報に関連付けて記憶する手段と、前記サーバのｗｅｂ上のアドレス情報と前記ＩＤ情報とを記述した電子メールを前記携帯電話機に送信する手段と、前記サーバにアクセスする前記携帯電話機を認証する手段と、認証した前記携帯電話機から送信される前記ＩＤ情報を参照して前記縮小画像データを特定する手段と、前記縮小画像データを前記携帯電話機に送信する手段と、を少なくとも備えるものである。
【００１４】
また、本発明の画像閲覧システムは、情報記録装置とサーバと携帯電話機とが通信ネットワークにより接続されてなる画像閲覧システムにおいて、前記情報記録装置には、画像データを入力する手段と、入力された画像データのデータサイズを縮小した縮小画像データを作成すると共に、該画像データをコンピュータ機器とは異なる種類の画像再生機器で再生するための画像データに変換する手段と、前記画像データ又は前記変換された画像データの少なくとも一方を記録媒体に記録する手段と、前記縮小画像データに関連付けされるＩＤ情報を生成する手段と、少なくとも前記縮小画像データと前記ＩＤ情報とを前記サーバに送信すると共に、前記サーバのｗｅｂ上のアドレス情報と前記ＩＤ情報とを記述した電子メールを前記携帯電話機に送信する手段と、を少なくとも備え、前記サーバには、送信された前記縮小画像データを前記ＩＤ情報に関連付けて記憶する手段と、前記サーバにアクセスする前記携帯電話機を認証する手段と、認証した前記携帯電話機から送信される前記ＩＤ情報を参照して前記縮小画像データを特定する手段と、前記縮小画像データを前記携帯電話機に送信する手段と、を少なくとも備えるものである。
【００１５】
本発明においては、前記情報記録装置の前記送信手段では、更に、前記携帯電話機の電話番号を前記サーバに送信し、前記サーバは、前記電話番号を参照して前記携帯電話機を認証する構成とすることができる。
【００１６】
また、本発明においては、前記画像データは、デジタルカメラで撮影して得られた画像データ又は写真フィルムをスキャンして得られた画像データとすることができる。
【００１７】
このように、本発明の情報記録装置では、デジタルカメラやメディアなどから画像データを読み取って記録媒体に記録する際に、該画像データのデータサイズを縮小した縮小画像データを作成し、該縮小画像データと生成した所定のＩＤ情報とを通信ネットワークで接続されたサーバに自動的に送信し、サーバは送信された縮小画像データを所定のＩＤ情報に関連づけて記憶するため、ユーザは携帯電話機を用いて該サーバにアクセスしてＩＤ情報を送信することにより、縮小画像データを取得してモニタに表示させることができる。これにより、好きな時間に好きな場所で記録媒体に記録された画像データに基づく画像を閲覧することができ、また、他のユーザに簡単に画像を見せることができるため、写真画像に関するサービスの利用促進を図ることができる。
【発明の効果】
【００１８】
本発明の制御プログラム及び情報記録装置並びに画像閲覧システムによれば、記録媒体に記録した画像データに基づく画像を携帯電話機で簡単に閲覧することができる。
【００１９】
その理由は、本発明の情報記録装置では、デジタルカメラやメディアなどから画像データを読み取って記録媒体に記録する際に、該画像データのデータサイズを縮小したサムネイル画像データやスクリーンネイル画像データなどの縮小画像データを作成し、該縮小画像データと記録媒体の識別情報や撮影日時情報、記録媒体の作成日時情報などのＩＤ情報とを通信ネットワークで接続されたサーバに自動的に送信し、サーバは送信された縮小画像データをＩＤ情報に関連づけて記憶する。これにより、ユーザは携帯電話機を用いて該サーバにアクセスし、ＩＤ情報を送信することにより、縮小画像データをダウンロードして閲覧することができるからである。
【発明を実施するための最良の形態】
【００２０】
本発明に係る情報記録装置は、その好ましい一実施の形態において、デジタルカメラやカメラ付き携帯電話機、メディアなどから画像データを入力するデータ入力手段と、携帯電話機の番号の入力、画像データの表示などを行う情報入出力手段と、入力された画像データのデータサイズを縮小したサムネイル画像データやスクリーンネイル画像データなどの縮小画像データを作成し、また、必要に応じて、入力された画像データをＤＶＤプレーヤやＤＶＤレコーダ、ゲーム機等の画像再生機器で再生可能なＶｉｄｅｏ−ＣＤ形式、ＤＶＤ−Ｖｉｄｅｏ形式、ＨＤＴＶ形式等のデータに変換するデータ変換手段と、これらのデータを、コンピュータ機器や画像再生機器で再生できるようにＣＤ−Ｒ／ＲＷやＤＶＤ±Ｒ／ＲＷ、ＤＶＤ−ＲＡＭ、Ｂｌｕ−ｒａｙディスクなどの記録媒体に記録するデータ記録手段と、記録媒体の識別情報や撮影日時情報、記録媒体の作成日時情報などのＩＤ情報を生成するＩＤ情報生成手段と、縮小画像データとＩＤ情報とをサーバに送信するデータ送信手段とを少なくとも備える。これにより、ユーザは携帯電話機を用いてサーバにアクセスし、ＩＤ情報を送信することによって、縮小画像データをダウンロードしてモニタ上に表示することができるため、場所や時間にとらわれずに写真画像を自由に閲覧することができるようになる。以下、上記実施形態について詳細に説明すべく、本発明の実施例について図面を参照して説明する。
【実施例１】
【００２１】
まず、本発明の第１の実施例に係る制御プログラム及び情報記録装置並びに画像閲覧システムについて、図１乃至図９を参照して説明する。図１は、本実施例に係る画像閲覧システムの構成を模式的に示す図であり、図２乃至図５は、情報記録装置の他の構成を模式的に示す図である。また、図６は、情報記録装置の機能を示すブロック図であり、図７は、本実施例に係る情報記録装置における処理手順を示すフローチャート図、図８及び図９は、本実施例に係る画像の閲覧手順を示すフローチャート図である。
【００２２】
図１に示すように、本実施例の画像閲覧システム１００は、画像データ（静止画像データ、動画データ、画像情報を含むデータを総称して画像データと呼ぶ。）を入力して記録媒体１０に記録すると共に、該画像データのデータサイズを縮小したサムネイル画像データやスクリーンネイル画像データなど（以下、これらを総称して縮小画像データと呼ぶ。）及び所定のＩＤ情報などを通信ネットワーク１２を介してサーバ１３に送信する情報記録装置１と、送信された縮小画像データをＩＤ情報に関連づけて記憶し、アクセスを許可したユーザに対して縮小画像データをダウンロード可能とするサーバ１３と、基地局１４を介して通信ネットワーク１２に接続し、サーバ１３から縮小画像データをダウンロードしてモニタ上に表示する通信機能を備えた携帯機器（以下、携帯電話機１１とする。）を備えている。
【００２３】
また、情報記録装置１は、図１及び図６に示すように、スマートメディア、コンパクトフラッシュ（登録商標）、メモリースティック（登録商標）、ＳＤメモリーカード、マルチメディアカードなどの記録媒体（以下、メディア９と呼ぶ。）を装填するメディア装填部２、デジタルカメラ８（デジタルスチルカメラ及びデジタルムービーカメラの双方を含む。）やカメラ付き携帯電話機等の撮影機器を有線又は無線、赤外線等によって接続するための機器接続部３等のデータ入力手段１５と、画像データの表示などを行うＬＣＤ、ＣＲＴ等の表示部６、携帯電話機１１（画像データが記録されたカメラ付き携帯電話機と同じであってもよいし、異なっていてもよい。）の電話番号や注文情報などを入力するボタン、キーボード、マウス等の操作部７等の情報入出力手段１６と、縮小画像データを特定するために用いる、記録媒体１０の識別情報や撮影日時情報、記録媒体の作成日時情報などのＩＤ情報を生成するＩＤ情報生成手段１７と、元の画像データのデータサイズを縮小した縮小画像データを作成したり、必要に応じて、元の画像データをＤＶＤプレーヤやＤＶＤレコーダ、ゲーム機等の画像再生機器で再生可能なＶｉｄｅｏ−ＣＤ形式、ＤＶＤ−Ｖｉｄｅｏ形式、ＨＤＴＶ形式等のデータに変換するデータ変換手段１８と、記録媒体装填部５を用いて元の画像データや画像再生機器用に変換したデータをＣＤ−Ｒ／ＲＷやＤＶＤ±Ｒ／ＲＷ、ＤＶＤ−ＲＡＭ、Ｂｌｕ−ｒａｙディスク等の記録媒体１０に記録するデータ記録手段１９と、ネットワーク接続手段４を用いて縮小画像データとＩＤ情報とをサーバ１３に送信するデータ送信手段２０とを少なくとも備えている。
【００２４】
なお、上記構成では、記録媒体装填部５を画像データを記録するための手段として用いているが、写真フィルムや写真プリントなどをスキャンして読み取った画像データが記録されている記録媒体から該画像データを入力するためのデータ入力手段として利用してもよい。また、上記各手段は情報記録装置１にハードウェアとして構成されていてもよいし、コンピュータを、少なくともＩＤ情報生成手段１７、データ変換手段１８、データ送信手段２０として機能させるプログラムとして構成し、該プログラムを情報記録装置１にインストールして実行する構成とすることもできる。また、図１では写真店やコンビニエンスストア等の店舗に設置可能なキオスク型の情報記録装置１を記載しているが、情報記録装置１の形態は任意であり、例えば、図２に示すように卓上型の店頭端末としたり、図３に示すように上記プログラムがインストールされたパソコンとしたり、図３に示すように専用のセットトップボックスとしたり、図４に示すようにポータブルライターなどとしてもよいし、記憶手段や演算手段を備えたＤＶＤレコーダなどとしてもよい。
【００２５】
上記構成の画像閲覧システム１００を用いて画像データを記録及び送信する手順について、図７のフローチャート図を参照して説明する。
【００２６】
まず、ステップＳ１０１で、情報記録装置１のメディア装填部２にメディア９を装填、又は、機器接続部３にデジタルカメラ８やカメラ付き携帯電話機を接続すると共に、記録媒体装填部５に記録媒体１０を装填する。次に、ステップＳ１０２で、データ入力手段１５を用いて、デジタルカメラ８やメディア９に記録された画像データを読み取り、ステップＳ１０３で、読み取った画像データに基づく画像を表示部６に選択可能に表示し、ユーザはその中から記録媒体１０に記録する画像データを選択する。なお、デジタルカメラ８やメディア９に記録された画像データの全てを使用する場合は画像データの選択ステップは不要である。
【００２７】
次に、ステップＳ１０４で、ユーザは操作部７を用いてサーバ１３にアクセスする際に利用する携帯電話機１１の電話番号を入力する。この電話番号はサーバ１３がアクセスを許可するか否かを判断したり、縮小画像データの利用に対する料金を徴収するために利用されるものであり、本システムを初めて利用する場合は入力が必要であるが、以前に本システムを利用している場合はサーバ１３に携帯電話機１１の電話番号が登録されている場合もあり、その場合は電話番号の入力ステップを省略することもできる。なお、縮小画像データをユーザのみが閲覧する場合は入力する電話番号は１つでよいが、知人等の他のユーザにも縮小画像データを見せたい場合は、複数の電話番号を入力してもよい。
【００２８】
次に、ステップＳ１０５で、ＩＤ情報生成手段１７は、サーバ１３に記憶する縮小画像データに関連づけるＩＤ情報を生成する。このＩＤ情報は縮小画像データを特定できる情報であればよく、例えば、記録媒体１０を識別する情報や写真撮影の日時、記録媒体１０の作成日時などの日時情報、ユーザが任意に設定した情報などを用いることができる。なお、上記ＩＤ情報は縮小画像データの閲覧の際に必要となるため、生成したＩＤ情報を表示部６に表示したり、レシートプリンターなどでプリント出力したり、記録媒体１０のレーベル面に印刷するなどしてユーザに知らせる必要がある。また、記録媒体１０の識別情報としては情報記録装置１毎に付与されるシリアル番号などを用いてもよいが、複数の記録媒体１０が存在する場合にＩＤ情報が重複しないように、ロケーションや装置、書き込み年月日に関連する情報やシーケンシャル番号などを組み合わせてユニークな構成とすることが好ましい。
【００２９】
次に、ステップＳ１０６で、データ変換手段１８を用いて、入力した画像データの画素数やサイズ、色数などを減縮した縮小画像データを作成する。この縮小画像データは元の画像データに比べて画素数やサイズ、色数などが少ないデータであればよく、縮小画像データを携帯電話機１１のモニタに表示する用途のみで使用する場合はサムネイル画像データとしてもよいが、ダウンロードした縮小画像データを写真プリントの作成などの用途にも使用する場合はある程度の解像度を備えることが好ましく、この場合はスクリーンネイル画像データを用いることができる。
【００３０】
次に、ステップＳ１０７で、データ変換手段１８は、必要に応じて、入力した画像データをＤＶＤプレーヤやＤＶＤレコーダ、ゲーム機等の画像再生機器で読み取り可能な動画データ（Ｖｉｄｅｏ−ＣＤ形式、ＤＶＤ−Ｖｉｄｅｏ形式、ＨＤＴＶ形式などのデータ）に変換する。動画データを作成する方法は特に限定されないが、例えば、静止画像データをスライドショーのように表示する場合は、静止画像データにスライド表示の時間分の差分０のデータを付加して動画データを生成したり、静止画像データにスライドショープログラムで設定されたスライド効果に基づく差分データを付加して動画データを生成すればよい。
【００３１】
次に、ステップＳ１０８で、変換された動画データや関連付けファイル等（以下、これらを総称して画像再生機器用データ群と呼ぶ。）を予め設けられた書き込み用の所定のフォルダに転送すると、データ記録手段１９は、該フォルダから画像再生機器用データ群を読み出して、記録媒体１０の論理アドレス領域の内側に記録する。
【００３２】
次に、ステップＳ１０９で、データ記録手段１９は、コンピュータ機器用のデータの記録を行う前に、画像再生機器で使用可能なデータの領域を区分するために一旦セッションをクローズする。
【００３３】
次に、ステップＳ１１０で、入力された画像データや画像データに基づいてスライドショーを再生するためのアプリケーション、スライドショーの設定ファイル等（以下、これらを総称してコンピュータ機器用データ群と呼ぶ。）を予め設けられた書き込み用の所定のフォルダに転送すると、データ記録手段１９は、該フォルダからコンピュータ機器用データ群を読み出して、記録媒体１０に先に記録された画像再生機器用データ群の外側に記録する。
【００３４】
その後、ステップＳ１１１で、データ送信手段２０は、ネットワーク接続部４を用いて通信ネットワーク１２に接続し、ステップＳ１０５で生成されたＩＤ情報とステップＳ１０６で作成された縮小画像データと必要に応じてステップＳ１０４で入力された携帯電話機１１の電話番号とを関連づけてサーバ１３に送信する。
【００３５】
一方、サーバ１３は、ステップＳ１１２で、送信された縮小画像データをＩＤ情報に関連づけて記憶すると共に、電話番号を登録して一連の処理を終了する。
【００３６】
なお、上記フローでは、情報記録装置１１で画像データの記録と縮小画像データの送信の双方を行う構成としたが、画像データの記録と縮小画像データの送信を行うかをユーザに選択させ、その選択に従って、画像データの記録又は縮小画像データの送信の一方のみを行う構成としてもよい。また、上記フローは一例であり、一連の処理が可能な限りにおいてその順番を変えることができ、例えば、携帯電話機１１の電話番号の入力を画像データの読み取りの前に行ったり、ＩＤ情報の生成や縮小画像データの作成を画像データの記録の後に行ったり、縮小画像データの送信を画像データの記録の前に行うなど、適宜変更することができる。
【００３７】
次に、サーバ１３に記憶された縮小画像データを利用する手順について、図８のフローチャート図を参照して説明する。
【００３８】
まず、ステップＳ２０１で、ユーザは携帯電話機１１のボタン等を操作してサーバ１３のアドレスを入力し、通信機能を用いてサーバ１３にアクセスする。すると、ステップＳ２０２で、サーバ１３はアクセスした携帯電話機１１の電話番号を取得し、該電話番号が予め登録された番号であるか否かを判断し、予め登録された番号である場合はアクセスを許可する。なお、アクセスの際にユーザＩＤやパスワードの入力などを求めてユーザ認証を行ってもよい。
【００３９】
次に、ステップＳ２０３で、ユーザは、情報記録装置１の表示部６に表示されたＩＤ情報やレシートに印刷されたＩＤ情報、記録媒体１０のレーベル面に印刷されたＩＤ情報を入力してサーバ１３に送信すると、ステップＳ２０４で、サーバ１３は、送信されたＩＤ情報を参照して、該ＩＤ情報に関連づけて記憶された縮小画像データを特定し、ステップＳ２０５で、該縮小画像データを通信ネットワーク１２を介して携帯電話機１１に送信する。これにより、ユーザは記録媒体１０に記録された画像データに基づいて作成された縮小画像データを携帯電話機１１で表示することができる。
【００４０】
なお、上記フローはＩＤ情報に関連づけられた縮小画像データを一括して送信する場合の構成であるが、サーバ１３に記憶された縮小画像データの中から所望のデータのみを受信することもできる。その場合の手順について、図９のフローチャート図を参照して説明する。
【００４１】
まず、図８の場合と同様に、ステップＳ３０１でユーザが携帯電話機１１の通信機能を用いてサーバ１３にアクセスすると、ステップＳ３０２で、サーバ１３はアクセスした携帯電話機１１の電話番号を取得し、該電話番号が予め登録された番号である場合はアクセスを許可する。そして、アクセスが許可されたら、ステップＳ３０３で、ユーザはＩＤ情報をサーバ１３に送信する。
【００４２】
次に、ステップＳ３０４で、サーバ１３は送信されたＩＤ情報を参照して、該ＩＤ情報に関連づけて記憶された縮小画像データを特定し、ステップＳ３０５で、縮小画像データの構成を示す情報（例えば、元の画像データのファイル名など）を携帯電話機１１に送信する。
【００４３】
次に、ステップＳ３０６で、ユーザは送信された縮小画像データの構成情報を参照して、携帯電話機１１にダウンロードを希望する縮小画像データを選択し、選択結果をサーバ１３に送信すると、ステップＳ３０７で、サーバ１３は選択された縮小画像データを携帯電話機１１に送信する。そして、ステップＳ３０８で次の縮小画像データを選択する場合はステップＳ３０６以降の処理を繰り返し行う。
【００４４】
このように、本実施例の情報記録装置１は、入力した画像データや該画像データに基づいて作成された動画データを記録媒体１０に記録するのみならず、該画像データのデータサイズを縮小した縮小画像データを作成し、記録媒体１０の識別情報や日時情報などのＩＤ情報と共にサーバ１３に送信し、サーバ１３は縮小画像データをＩＤ情報に関連づけて記憶する。これにより、ユーザは携帯電話機１１を用いてサーバ１３にアクセスし、ＩＤ情報を送信することにより、所望の縮小画像データを受信することができ、場所や時間を問わずに記録媒体１０に記録された画像データに基づく画像を閲覧したり、他のユーザに見せることができるようになる。
【実施例２】
【００４５】
次に、本発明の第２の実施例に係る制御プログラム及び情報記録装置並びに画像閲覧システムについて、図１０及び図１１を参照して説明する。図１０は、本実施例に係る情報記録装置における処理手順を示すフローチャート図であり、図１１は、本実施例に係る画像の閲覧手順を示すフローチャート図である。
【００４６】
前記した第１の実施例では、ユーザはサーバ１３から縮小画像データを受信する際に、サーバ１３のアドレス情報やＩＤ情報を入力する必要があり、操作が煩雑であると共に、アドレス情報やＩＤ情報を予め記憶したり、これらの情報が印刷されたレシートを所持する必要があり、アドレス情報やＩＤ情報が分からない場合には縮小画像データをダウンロードすることができなくなってしまう。そこで、本実施例では、上記アドレス情報やＩＤ情報を電子メールとして携帯電話機１１に送信することにより、画像閲覧システム１００をより簡便に利用できるようにする。その場合の具体的手順について、図１０のフローチャート図を参照して説明する。
【００４７】
まず、第１の実施例と同様に、ステップＳ４０１で、情報記録装置１のメディア装填部２にメディア９を装填、又は、機器接続部３にデジタルカメラ８やカメラ付き携帯電話機を接続すると共に、記録媒体装填部５に記録媒体１０を装填し、ステップＳ４０２で、データ入力手段１５を用いて、デジタルカメラ８やメディア９に記録された画像データを読み取り、ステップＳ４０３で、読み取った画像データに基づく画像を表示部６に選択可能に表示してユーザに選択させる。
【００４８】
次に、ステップＳ４０４で、ユーザは操作部７を用いてサーバ１３にアクセスする際に利用する携帯電話機１１の電話番号を入力する。その際、本実施例では、サーバ１３のアドレス情報やＩＤ情報を携帯電話機１１に送信するために携帯電話機１１の電子メールアドレスも入力する。なお、本実施例においても、以前に本システムを利用している場合はサーバ１３に携帯電話機１１の電話番号や電子メールアドレスが登録されている場合もあり、その場合はこのステップを省略することもできる。また、複数のユーザで縮小画像データを閲覧する場合は、複数の携帯電話機１１の電話番号や電子メールアドレスを入力してもよい。
【００４９】
次に、ステップＳ４０５で、ＩＤ情報生成手段１７は、サーバ１３に記憶する縮小画像データに関連づけるＩＤ情報を生成する。その際、前記した第１の実施例では、ＩＤ情報をユーザに知らせるために、生成したＩＤ情報を表示部６に表示したり、レシートプリンターなどでプリント出力したり、記録媒体１０のレーベル面に印刷するなどしたが、本実施例ではＩＤ情報は電子メールとして携帯電話機１１に送信されるため、表示や印刷の必要はない。
【００５０】
次に、ステップＳ４０６で、データ変換手段１８を用いて、入力した画像データの画素数やサイズ、色数などを減縮したサムネイル画像データやスクリーンネイル画像データ等の縮小画像データを作成し、ステップＳ４０７で、必要に応じて、入力した画像データをＤＶＤプレーヤやＤＶＤレコーダ、ゲーム機等の画像再生機器で読み取り可能な動画データ（Ｖｉｄｅｏ−ＣＤ形式、ＤＶＤ−Ｖｉｄｅｏ形式、ＨＤＴＶ形式などのデータ）に変換する。
【００５１】
次に、ステップＳ４０８で、データ記録手段１９は、記録媒体１０の論理アドレス領域の内側に画像再生機器用データ群を記録し、ステップＳ４０９で、セッションをクローズした後、ステップＳ４１０で、コンピュータ機器用データ群を記録媒体１０に先に記録された画像再生機器用データ群の外側に記録する。
【００５２】
その後、ステップＳ４１１で、データ送信手段２０は、ネットワーク接続部４を用いて通信ネットワーク１２に接続し、ステップＳ４０５で生成されたＩＤ情報とステップＳ４０６で作成された縮小画像データと必要に応じてステップＳ４０４で入力された携帯電話機１１の電話番号及び電子メールアドレスとを関連づけてサーバ１３に送信する。
【００５３】
一方、サーバ１３は、ステップＳ４１２で、送信された縮小画像データをＩＤ情報に関連づけて記憶すると共に、電話番号及び電子メールアドレスを登録した後、ステップＳ４１３で、サーバ１３のアドレス情報やＩＤ情報を記述した電子メールを作成し、この電子メールを上記電子メールアドレスに送信する。
【００５４】
なお、本実施例においても、一連の処理が可能な限りにおいてその順番を変えることができ、例えば、携帯電話機１１の電話番号及び電子メールアドレスの入力を画像データの読み取りの前に行ったり、ＩＤ情報の生成や縮小画像データの作成を画像データの記録の後に行ったり、縮小画像データの送信を画像データの記録の前に行うなど、適宜変更することができる。
【００５５】
次に、サーバ１３に記憶された縮小画像データを利用する手順について、図１１のフローチャート図を参照して説明する。
【００５６】
まず、ステップＳ５０１で、ユーザは携帯電話機１１の通信機能を用いて、通信ネットワーク１２を介してサーバ１３にアクセスする。その際、第１の実施例では、サーバ１３のアドレス情報を手入力する必要があり、アドレス情報を忘れてしまった場合にはアクセスすることができなかったが、本実施例では、アドレス情報はサーバ１３から送信された電子メールに記述されており、電子メール中のアドレス情報を選択するのみでサーバ１３にアクセスできるため、操作性が格段に向上する。次に、ステップＳ５０２で、サーバ１３はアクセスした携帯電話機１１の電話番号を取得し、該電話番号が予め登録された番号である場合はアクセスを許可する。
【００５７】
次に、ステップＳ５０３で、ユーザはＩＤ情報の送信を行うが、この場合も、第１の実施例では、ＩＤ情報を手入力する必要があり、ＩＤ情報を忘れてしまった場合には縮小画像データをダウンロードすることができなかったが、本実施例では、ＩＤ情報はサーバ１３から送信された電子メールに記述されているため、容易にＩＤ情報を送信することができる。なお、ＩＤ情報の送信に際して、サーバ１３から送信された電子メールを返信し、サーバ１３側で返信メールの中からＩＤ情報を自動的に抽出するようにしてもよい。
【００５８】
その後、ステップＳ５０４で、サーバ１３は、送信されたＩＤ情報を参照して、該ＩＤ情報に関連づけて記憶された縮小画像データを特定し、ステップＳ５０５で、該縮小画像データを通信ネットワーク１２を介して携帯電話機１１に送信する。
【００５９】
なお、本実施例においてもサーバ１３に記憶された縮小画像データの中から所望のデータのみを受信することもでき、その場合は、サーバ１３は、ＩＤ情報を受信した後、元の画像データのファイル名などの構成情報を送信し、その中からユーザが選択した縮小画像データを携帯電話機１１に送信するようにすればよい。
【００６０】
また、上記説明では、情報記録装置１がサーバ１３に携帯電話機１１の電子メールアドレスを送り、サーバ１３から携帯電話機１１にアドレス情報やＩＤ情報を記述した電子メールを送信する構成としたが、情報記録装置１にサーバ１３のアドレス情報を記憶しておき、データ送信手段２０を用いて携帯電話機１１にアドレス情報やＩＤ情報を記述した電子メールを送信したり、赤外線通信などを用いてアドレス情報やＩＤ情報を直接送信する構成としてもよい。
【００６１】
このように、本実施例では、サーバ１３のアドレス情報やＩＤ情報が電子メールとして携帯電話機１１に送信されるため、ユーザはこれらの情報を覚えておく必要がなくなり、より簡便に画像閲覧システム１００を利用することが可能となる。
【図面の簡単な説明】
【００６２】
【図１】本発明の第１の実施例に係る画像閲覧システムの構成を模式的に示す図である。
【図２】本発明の第１の実施例に係る情報記録装置の他の構成を示す図である。
【図３】本発明の第１の実施例に係る情報記録装置の他の構成を示す図である。
【図４】本発明の第１の実施例に係る情報記録装置の他の構成を示す図である。
【図５】本発明の第１の実施例に係る情報記録装置の他の構成を示す図である。
【図６】本発明の第１の実施例に係る情報記録装置の構成を示すブロック図である。
【図７】本発明の第１の実施例に係る情報記録装置の処理手順を示すフローチャート図である。
【図８】本発明の第１の実施例に係る縮小画像データの利用手順を示すフローチャート図である。
【図９】本発明の第１の実施例に係る縮小画像データの利用手順を示すフローチャート図である。
【図１０】本発明の第２の実施例に係る情報記録装置の処理手順を示すフローチャート図である。
【図１１】本発明の第２の実施例に係る縮小画像データの利用手順を示すフローチャート図である。
【符号の説明】
【００６３】
１  情報記録装置
２  メディア装填部
３  機器接続部
４  記録媒体装填部
５  ネットワーク接続部
６  表示部
７  操作部
８  デジタルカメラ
９  メディア
１０  記録媒体
１１  携帯電話機
１２  通信ネットワーク
１３  サーバ
１４  基地局
１５  データ入力手段
１６  情報入出力手段
１７  ＩＤ情報生成手段
１８  データ変換手段
１９  データ記録手段
２０  データ送信手段
１００  画像閲覧システム
【図１】
2005210354.tif 000003
【図２】
2005210354.tif 000004
【図３】
2005210354.tif 000005
【図４】
2005210354.tif 000006
【図５】
2005210354.tif 000007
【図６】
2005210354.tif 000008
【図７】
2005210354.tif 000009
【図８】
2005210354.tif 000010
【図９】
2005210354.tif 000011
【図１０】
2005210354.tif 000012
【図１１】
2005210354.tif 000013